(57)【要約】【課題】録画した番組に含まれるＣＭの再生時に、ユーザに最新のＣＭを再生することを可能にするテレビ番組録画再生装置を提供する。【解決手段】番組の録画時に、番組に含まれるＣＭ情報から、ＣＭの種類、Ｖｅｒｓｉｏｎを記録しておき、録画した番組の再生時には、録画した番組に含まれるＣＭではなく、受信機内でもっとも新しいＶｅｒｓｉｏｎを持つＣＭを再生する。また再生時に、最新のＶｅｒｓｉｏｎを持つＣＭが放送されていた場合、そちらを再生する。【選択図】図８
2009182369.tif 000002
【特許請求の範囲】
【請求項１】
番組の録画、再生を行うテレビ番組録画再生装置であって、
番組コンテンツ、及び番組コンテンツに含まれる付加データ、付加データの種類を特定する識別子、バージョン、番組内での再生開始時間を表すアドレス、再生持続時間を表すＤｕｒａｔｉｏｎを保持する付加データ情報、から構成される番組ストリームを受信する受信手段と、
番組コンテンツ内に含まれる付加データの情報を取得する番組中付加データ情報取得手段と、
前記番組中付加データ情報取得手段から得られた情報を受信機内に記録し、記録した情報を取得する付加データ情報取得／設定手段と、
前記番組中付加データ情報取得手段から取得した付加データ情報と、前記付加データ情報取得／設定手段から取得した付加データ情報を比較し、受信機内の付加データ情報を更新する番組中付加データ情報記録判定手段と、
番組コンテンツを録画し、付加データ情報部の更新を前記番組中付加データ情報記録判定手段に依頼する番組録画手段とを備え、
録画した番組の再生時に、受信機内で保持する最新の付加データを再生することを特徴とするテレビ番組録画再生装置。
【請求項２】
現在放送されている付加データを取得する放送中付加データ取得手段と、
前記番組録画手段によって受信機に記録した付加データ情報を取得する再生コンテンツ付加データ情報取得手段と、
前記放送中付加データ取得手段から取得した付加データ情報と、前記再生コンテンツ付加データ情報取得手段から取得した付加データ情報のバージョンを比較し、新しいバージョンの付加データのアドレスを特定する付加データバージョン判定手段と、
前記付加データバージョン判定手段の判定によって、ＴＳ、及びＨＤＤから番組コンテンツ、付加データの再生を行うＴＳ／ＨＤＤ切替再生手段とをさらに備え、
録画した番組の再生時に、放送波に流れている最新の付加データを再生することを特徴とする請求項１記載のテレビ番組録画再生装置。
【請求項３】
番組コンテンツに含まれる付加データの開始位置を前記番組中付加データ情報取得手段から取得し、録画対象が番組コンテンツから付加データに切り替わる毎に、受信機の付加データ情報部の更新を前記番組中付加データ情報記録判定手段に依頼する録画番組モニタリング手段をさらに備え、
番組コンテンツ録画中に、リアルタイムに付加データ情報部を更新することで、おっかけ再生中でも最新の付加データの再生を行うことを特徴とする請求項１記載のテレビ番組録画再生装置。
【請求項４】
番組コンテンツと付加データとの切り替わりの通知を、前記録画番組モニタリング手段に依頼し、前記録画番組モニタリング手段からの切り替わり通知に応じて、番組コンテンツの録画を行う番組録画手段と、
前記番組中付加データ情報取得手段から取得した付加データ情報と、前記付加データ情報取得／設定手段から取得した付加データ情報を比較し、付加データの記録を行うかどうか判定する番組中付加データ記録判定手段と、
前記番組中付加データ記録判定手段の指示に従って、最新の付加データの記録を行う付加データ記録手段と、
前記番組中付加データ記録判定手段の指示に従って、古い付加データの削除を行う付加データ削除手段とをさらに備え、
番組コンテンツと番組コンテンツに含まれる付加データを別々に録画することで、録画した番組を削除しても、最新付加データを保存可能にすることを特徴とする請求項３に記載のテレビ番組録画再生装置。
【請求項５】
前記付加データは、ＣＭであることを特徴とする請求項１記載のテレビ番組録画再生装置。
【請求項６】
前記付加データは、緊急放送であることを特徴とする請求項１記載のテレビ番組録画再生装置。
【請求項７】
前記付加データは、番組コンテンツ外から送信される番組外付加データであり、番組外付加データ情報取得手段と番組外付加データ記録判定手段とをさらに備え、受信機内に蓄積されている最新の番組外付加データを再生することを特徴とする請求項１記載のテレビ番組録画再生装置。
【請求項８】
番組の録画、再生を行うテレビ番組録画再生方法であって、
番組コンテンツ、及び番組コンテンツに含まれる付加データ、付加データの種類を特定する識別子、バージョン、番組内での再生開始時間を表すアドレス、再生持続時間を表すＤｕｒａｔｉｏｎを保持する付加データ情報、から構成される番組ストリームを受信する受信ステップと、
番組コンテンツ内に含まれる付加データの情報を取得する番組中付加データ情報取得ステップと、
前記番組中付加データ情報取得ステップから得られた情報を受信機内に記録し、記録した情報を取得する付加データ情報取得／設定ステップと、
前記番組中付加データ情報取得ステップから取得した付加データ情報と、前記付加データ情報取得／設定ステップから取得した付加データ情報を比較し、受信機内の付加データ情報を更新する番組中付加データ情報記録判定ステップと、
番組コンテンツを録画し、付加データ情報部の更新を前記番組中付加データ情報記録判定ステップに依頼する番組録画ステップとを備え、
番組の録画時に受信機内で保持する付加データのバージョンを更新することを特徴とするテレビ番組録画再生方法。
【請求項９】
番組の録画、再生を行うテレビ番組録画再生装置を動作させるプログラムであって、
番組コンテンツ、及び番組コンテンツに含まれる付加データ、付加データの種類を特定する識別子、バージョン、番組内での再生開始時間を表すアドレス、再生持続時間を表すＤｕｒａｔｉｏｎを保持する付加データ情報、から構成される番組ストリームを受信する受信ステップと、
番組コンテンツ内に含まれる付加データの情報を取得する番組中付加データ情報取得ステップと、
前記番組中付加データ情報取得ステップから得られた情報を受信機内に記録し、記録した情報を取得する付加データ情報取得／設定ステップと、
前記番組中付加データ情報取得ステップから取得した付加データ情報と、前記付加データ情報取得／設定ステップから取得した付加データ情報を比較し、受信機内の付加データ情報を更新する番組中付加データ情報記録判定ステップと、
番組コンテンツを録画し、付加データ情報部の更新を前記番組中付加データ情報記録判定ステップに依頼する番組録画ステップとを備えるテレビ番組録画再生装置を動作させるプログラム。
【発明の詳細な説明】
【技術分野】
【０００１】
本発明は、テレビ番組の受信、録画、再生が可能なテレビ番組録画再生装置、及び前記テレビ番組録画再生装置の制御方法を実現するための制御プログラムに関する。
【背景技術】
【０００２】
従来技術としては、録画したテレビ番組を再生する場合、テレビ番組本編とは直接関係のないＣＭや緊急放送などの付加データも、当然録画中に放送されていたものを再び見ることになり、見るタイミングによっては情報が古くなるため、情報の価値が無くなるものが殆どであった。
そこで、番組コンテンツに広告ＩＤを付加して、ＣＭの再生時に広告ＩＤからリンクされている広告主に回線を通じてアクセスして、広告主の指示に応じて再生するＣＭを差し替えるものが開示されている（例えば、特許文献１参照）。
【特許文献１】特開２００５−１７５９６３
【発明の開示】
【発明が解決しようとする課題】
【０００３】
しかしながら、前記従来の構成では、ＣＭの差し替えを、回線を通じて広告主にアクセスして行うため、テレビ番組録画再生装置に上り回線のサポートが必須となる、という課題を有していた。また、ＣＭの差し替えが発生する場合は、それを記録媒体に保存してから行うため、余分な記録領域が必要となる、という課題を有していた。
【０００４】
本発明は、前記従来の課題を解決するもので、上り回線を必要とせず、また必要最低限の記録領域でＣＭなどの付加データの差し替えを可能としたテレビ番組録画再生装置を提供することを目的とする。
【課題を解決するための手段】
【０００５】
前記従来の課題を解決するために、本発明のテレビ番組録画再生装置は、番組の録画、再生を行うテレビ番組録画再生装置であって、番組コンテンツ、及び番組コンテンツに含まれる付加データ、付加データの種類を特定する識別子、バージョン、番組内での再生開始時間を表すアドレス、再生持続時間を表すＤｕｒａｔｉｏｎを保持する付加データ情報、から構成される番組ストリームを受信する受信手段と、番組コンテンツ内に含まれる付加データの情報を取得する番組中付加データ情報取得手段と、前記番組中付加データ情報取得手段から得られた情報を受信機内に記録し、記録した情報を取得する付加データ情報取得／設定手段と、前記番組中付加データ情報取得手段から取得した付加データ情報と、前記付加データ情報取得／設定手段から取得した付加データ情報を比較し、受信機内の付加データ情報を更新する番組中付加データ情報記録判定手段と、番組コンテンツを録画し、付加データ情報部の更新を前記番組中付加データ情報記録判定手段に依頼する番組録画手段とを備え、録画した番組の再生時に、受信機内で保持する最新の付加データを再生することを特徴とする。
【０００６】
また、本発明のテレビ番組録画再生装置は、現在放送されている付加データを取得する放送中付加データ取得手段と、前記番組録画手段によって受信機に記録した付加データ情報を取得する再生コンテンツ付加データ情報取得手段と、前記放送中付加データ取得手段から取得した付加データ情報と、前記再生コンテンツ付加データ情報取得手段から取得した付加データ情報のバージョンを比較し、新しいバージョンの付加データのアドレスを特定する付加データバージョン判定手段と、前記付加データバージョン判定手段の判定によって、ＴＳ、及びＨＤＤから番組コンテンツ、付加データの再生を行うＴＳ／ＨＤＤ切替再生手段とをさらに備え、録画した番組の再生時に、放送波に流れている最新の付加データを再生することを特徴とする。
【０００７】
また、本発明のテレビ番組録画再生装置は、番組コンテンツに含まれる付加データの開始位置を前記番組中付加データ情報取得手段から取得し、録画対象が番組コンテンツから付加データに切り替わる毎に、受信機の付加データ情報部の更新を前記番組中付加データ情報記録判定手段に依頼する録画番組モニタリング手段をさらに備え、番組コンテンツ録画中に、リアルタイムに付加データ情報部を更新することで、おっかけ再生中でも最新の付加データの再生を行うことを特徴とする。
【０００８】
また、本発明のテレビ番組録画再生装置は、番組コンテンツと付加データとの切り替わりの通知を、前記録画番組モニタリング手段に依頼し、前記録画番組モニタリング手段からの切り替わり通知に応じて、番組コンテンツの録画を行う番組録画手段と、前記番組中付加データ情報取得手段から取得した付加データ情報と、前記付加データ情報取得／設定手段から取得した付加データ情報を比較し、付加データの記録を行うかどうか判定する番組中付加データ記録判定手段と、前記番組中付加データ記録判定手段の指示に従って、最新の付加データの記録を行う付加データ記録手段と、前記番組中付加データ記録判定手段の指示に従って、古い付加データの削除を行う付加データ削除手段とをさらに備え、番組コンテンツと番組コンテンツに含まれる付加データを別々に録画することで、録画した番組を削除しても、最新付加データを保存可能にすることを特徴とする。
【０００９】
また、本発明のテレビ番組録画再生装置における前記付加データは、ＣＭであることを特徴とする。
【００１０】
また、本発明のテレビ番組録画再生装置における前記付加データは、緊急放送であることを特徴とする。
【００１１】
また、本発明のテレビ番組録画再生装置における前記付加データは、番組コンテンツ外から送信される番組外付加データであり、本発明のテレビ番組録画再生装置は、番組外付加データ情報取得手段と番組外付加データ記録判定手段とをさらに備え、受信機内に蓄積されている最新の番組外付加データを再生することを特徴とする。
【００１２】
また、本発明のテレビ番組録画再生方法は、番組の録画、再生を行うテレビ番組録画再生方法であって、番組コンテンツ、及び番組コンテンツに含まれる付加データ、付加データの種類を特定する識別子、バージョン、番組内での再生開始時間を表すアドレス、再生持続時間を表すＤｕｒａｔｉｏｎを保持する付加データ情報、から構成される番組ストリームを受信する受信ステップと、番組コンテンツ内に含まれる付加データの情報を取得する番組中付加データ情報取得ステップと、前記番組中付加データ情報取得ステップから得られた情報を受信機内に記録し、記録した情報を取得する付加データ情報取得／設定ステップと、前記番組中付加データ情報取得ステップから取得した付加データ情報と、前記付加データ情報取得／設定ステップから取得した付加データ情報を比較し、受信機内の付加データ情報を更新する番組中付加データ情報記録判定ステップと、番組コンテンツを録画し、付加データ情報部の更新を前記番組中付加データ情報記録判定ステップに依頼する番組録画ステップとを備え、番組の録画時に受信機内で保持する付加データのバージョンを更新することを特徴とする。
【００１３】
また、本発明のテレビ番組録画再生装置を動作させるプログラムは、番組の録画、再生を行うテレビ番組録画再生装置を動作させるプログラムであって、番組コンテンツ、及び番組コンテンツに含まれる付加データ、付加データの種類を特定する識別子、バージョン、番組内での再生開始時間を表すアドレス、再生持続時間を表すＤｕｒａｔｉｏｎを保持する付加データ情報、から構成される番組ストリームを受信する受信ステップと、番組コンテンツ内に含まれる付加データの情報を取得する番組中付加データ情報取得ステップと、前記番組中付加データ情報取得ステップから得られた情報を受信機内に記録し、記録した情報を取得する付加データ情報取得／設定ステップと、前記番組中付加データ情報取得ステップから取得した付加データ情報と、前記付加データ情報取得／設定ステップから取得した付加データ情報を比較し、受信機内の付加データ情報を更新する番組中付加データ情報記録判定ステップと、番組コンテンツを録画し、付加データ情報部の更新を前記番組中付加データ情報記録判定ステップに依頼する番組録画ステップとを備える。
【発明の効果】
【００１４】
本発明のテレビ番組録画再生装置によれば、放送波にＣＭなどの付加データの情報を含ませ、受信機はその付加データ情報を解析し、受信機内で最新の付加データを保持することにより、録画した番組の再生時に、受信機内で最新の付加データを再生することが可能となる。
【００１５】
また本発明のテレビ番組録画再生装置によれば、放送波にＣＭなどの付加データの情報を含ませ、受信機は受信機内の付加データと、再生時に放送されている付加データを比較し、放送波に含まれる付加データを再生することによって、録画した番組の再生時に、受信機内と放送波に含まれる付加データの中で最新のものを再生することが可能となる。
【００１６】
また本発明のテレビ番組録画再生装置によれば、付加データ情報をリアルタイムに保存することによって、おっかけ再生中に臨時ニュースなどの緊急性の高い付加データが放送されていた場合に、リアルタイムに付加データを再生できる。
【００１７】
また本発明のテレビ番組録画再生装置によれば、番組コンテンツと付加データを別々に保存することにより、最新の付加データを含む番組を削除した場合にも、付加データを保存することが可能となる。
【発明を実施するための最良の形態】
【００１８】
以下本発明の実施の形態について、図面を参照しながら説明する。
（実施の形態１）
本発明の実施の形態１について、図１〜図７を用いて説明する。実施の形態１では、番組に含まれる付加データとして、ＣＭを例にとり説明する。
【００１９】
本発明の実施の形態１に係る送信機は、図１に示すように、各放送局から放送されるデジタルテレビの放送波で、番組／ＣＭコンテンツ、及びＣＭ情報から構成される番組ストリームの送信手段１０１から構成される。
番組ストリームは、図２に示すように、ＣＭを含む番組の映像、音声データを表す番組コンテンツと、番組の種類を特定するための番組ＩＤ、番組に含まれるＣＭの開始時間、ＣＭの長さを示すＤｕｒａｔｉｏｎ、及びＣＭの種類を特定するためのスポンサーＩＤ、商品ＩＤ、Ｖｅｒｓｉｏｎから構成される番組中付加データ情報と、スポンサーから提供される差し替え用のＣＭを表す更新用付加データコンテンツと、各更新用付加データコンテンツの開始時間、Ｄｕｒａｔｉｏｎ、スポンサーＩＤ、商品ＩＤ、Ｖｅｒｓｉｏｎ、及び更新ＣＭコンテンツの放送場所を表すコンテンツＰＩＤから構成される更新用付加データ情報とで構成される。スポンサーＩＤは、広告主１、広告主２などの企業を識別するためのＩＤで、全放送局で一意の値を割り当てる。
【００２０】
受信機２００は、図１に示すように、送信機１００から送信された番組ストリームを受信する受信手段２０１、リモコンなどの入力装置から、ユーザの録画指示にしたがって、番組ストリームに含まれる番組コンテンツ、及びＣＭ情報の録画／記録を行う番組録画手段２０２、及び録画／記録先である番組／付加データコンテンツ部２０３、付加データ情報部２０４、録画した番組の再生中に、番組に含まれるＣＭの番組内での開始時間と再生場所を解析する付加データ情報解析手段２０５、送信機から送信されている番組ＣＭ情報の取得を行う放送中付加データ取得手段２０６、再生中の番組に含まれるＣＭ情報を取得する再生コンテンツ付加データ情報取得手段２０７、前記放送中付加データ取得手段２０６と前記再生コンテンツ付加データ情報取得手段２０７から取得したＣＭ情報のバージョンを比較し、録画した番組に含まれるＣＭと、現在放送波に流れているＣＭのどちらが新しいかを判定する付加データバージョン判定手段２０８と、前記付加データ情報解析手段２０５から取得したＣＭの開始時間、再生場所に従って、番組、ＣＭの再生を行うＴＳ／ＨＤＤ切替再生手段２０９、から構成される。
【００２１】
次に図１に示す受信機２００の制御の流れを、図２〜図７で示す図、及びフローチャートを用いて説明する。
まず録画時の制御の流れについて、図２、３を用いて説明する。
図２は、録画対象となる番組ストリームの内容を例示したものである。番組中付加データ情報は、録画対象の番組が番組Ａという番組ＩＤを保持し、７時２５分１５秒からＤｕｒａｔｉｏｎ：１５秒、スポンサーＩＤ：広告主１、商品ＩＤ：商品１、Ｖｅｒｓｉｏｎ：１の属性を持つＣＭと、７時２５分３０秒からＤｕｒａｔｉｏｎ：３０秒、スポンサーＩＤ：広告主１、商品ＩＤ：商品２、Ｖｅｒｓｉｏｎ：１の属性を持つＣＭと、７時４５分１５秒からＤｕｒａｔｉｏｎ：１５秒、スポンサーＩＤ：広告主２、商品ＩＤ：商品１、Ｖｅｒｓｉｏｎ：１の属性を持つＣＭを有することを示している。更新用付加データ情報についてはここでは記録対象にならないため、内容の説明は省略する。
【００２２】
図３によって、番組の録画時の処理について説明する。
番組録画手段２０２は、ユーザからの録画指示があると、受信手段２０１から取得した番組コンテンツの録画を番組／付加データコンテンツ部２０３に行う（ステップ（以下、括弧内では「ステップ」という語を省略する）３０１）。番組録画を完了すると（３０２）、録画した番組に含まれるＣＭ情報を付加データ情報部２０４に記録する（３０３）。
このようにして、番組コンテンツ、及びＣＭ情報を記録した後の受信機２００の状態が図４である。付加データ情報部２０４は、ＣＭの種類を表すスポンサーＩＤ、商品ＩＤ、Ｖｅｒｓｉｏｎと、番組／付加データコンテンツ部２０３内での保存場所と、付加データ情報部２０４内でのｉｎｄｅｘを割り振ったＣＭ情報リストと、番組内でのＣＭの開始時間、ＣＭの再生時間、ＣＭ情報リストへのｉｎｄｅｘを持つ番組＆ＣＭ対応リストから構成される。
【００２３】
次に図５、６によって、録画した番組の再生時の処理について説明する。
図５は、録画した番組の再生時に放送されている番組ストリームの内容を示している。更新用付加データ情報は、現在の更新用付加データコンテンツがスポンサーＩＤ：広告主１、商品ＩＤ：商品１、Ｄｕｒａｔｉｏｎ：１５秒、Ｖｅｒｓｉｏｎ：１、コンテンツＰＩＤ：０ｘ１０００の属性を持つＣＭと、スポンサーＩＤ：広告主１、商品ＩＤ：商品２、Ｄｕｒａｔｉｏｎ：３０秒、Ｖｅｒｓｉｏｎ：２、コンテンツＰＩＤ：０ｘ２０００の属性を持つＣＭと、スポンサーＩＤ：広告主２、商品ＩＤ：商品１、Ｄｕｒａｔｉｏｎ：１５秒、Ｖｅｒｓｉｏｎ：１、コンテンツＰＩＤ：０ｘ３０００の属性を持つＣＭを有することを示し、広告主１の商品２のＣＭが番組Ａの録画時より更新されていることを示している。
【００２４】
図６のフローチャートを用いて、録画した番組の再生時の処理について説明する。
ユーザによる再生指示によって、ＴＳ／ＨＤＤ切替再生手段２０９は、付加データ情報解析手段２０５に対して、再生対象に含まれるＣＭの番組内での開始位置と、再生場所の取得を指示する（６０１）。
【００２５】
ここで付加データ情報解析手段２０５によるＣＭ情報の解析処理を図７のフローチャートを用いて説明する。
ＴＳ／ＨＤＤ切替再生手段２０９からのＣＭ情報問い合わせに対して、付加データバージョン判定手段２０８は再生コンテンツ付加データ情報取得手段２０７から再生対象の番組に含まれるＣＭ情報を取得する（７０１）。
次に付加データバージョン判定手段２０８は、放送中付加データ取得手段２０６から、現在放送波に含まれている更新用付加データ情報を取得する（７０２）。
更新用付加データ情報に含まれるＣＭのバージョンが、再生対象の番組に含まれるＣＭより新しい場合（７０３）、再生場所をＴＳのコンテンツＰＩＤに設定し（７０４）、そうでない場合は、再生場所をＨＤＤの保存場所に設定する（７０５）。
上記の処理によって、番組内での再生開始位置と再生場所をＴＳ／ＨＤＤ切替再生手段２０９に提供する。
【００２６】
図６に戻る。ＴＳ／ＨＤＤ切替再生手段２０９は現在の時間と取得したＣＭの開始時間を比較し（６０２）、ＣＭの開始時間までは、ＨＤＤに含まれる番組コンテンツを再生する（６０３）。
ＣＭの開始時間に到達すると、ＴＳ／ＨＤＤ切替再生手段２０９はＣＭの再生場所がＴＳかＨＤＤかをチェックし（６０４）、ＴＳが再生場所として指定されている場合はＴＳからＣＭを再生し（６０５）、ＨＤＤが再生場所として指定されている場合はＨＤＤからＣＭを再生する（６０６）。ここではスポンサーＩＤ：広告主１、商品ＩＤ：商品２のＣＭのみ、放送波に含まれている更新用ＣＭに新しいＶｅｒｓｉｏｎのＣＭがあるため、このＣＭのみＴＳから再生し、他のＣＭはＨＤＤから再生する。
上記の処理を番組終了まで繰り返す（６０７）。
このように、録画した番組の再生時に、放送波に流れているＣＭと録画した番組内に含まれるＣＭのどちらを再生するかを選択することで、最新のＣＭを再生することができる。
【００２７】
（実施の形態２）
本発明の実施の形態２について、図８〜図１５を用いて説明する。実施の形態１では、放送波に含まれる更新用のＣＭと、録画した番組に含まれるＣＭのバージョンを比較して、ＣＭデータの差し替えを行った。この場合、録画した番組のＣＭ再生時に、放送波に同種のＣＭデータが流れている必要があった。実施の形態２では、このような問題を解決するため、ＣＭデータの差し替え対象を、再生中の放送波だけでなく、受信機内の他の録画済み番組に含まれるＣＭに拡張するために構成や処理を追加したものである。
【００２８】
本発明の実施の形態２に係る送信機３００は、図８に示すように、各放送局から放送されるデジタルテレビの放送波で、番組／ＣＭコンテンツ、及びＣＭ情報から構成される番組ストリームの送信手段３０１から構成される。
【００２９】
番組ストリームは、図２に示すように、ＣＭを含む番組の映像、音声データを表す番組コンテンツと、番組の種類を特定するための番組ＩＤ、番組に含まれるＣＭの開始時間、Ｄｕｒａｔｉｏｎ、及びＣＭの種類を特定するためのスポンサーＩＤ、商品ＩＤ、Ｖｅｒｓｉｏｎから構成される番組中付加データ情報と、スポンサーから提供される差し替え用のＣＭを表す更新用付加データコンテンツと、各更新用付加データコンテンツの開始時間、Ｄｕｒａｔｉｏｎ、ＣＭの種類を特定するためのスポンサーＩＤ、商品ＩＤ、Ｖｅｒｓｉｏｎ、及び更新ＣＭコンテンツの場所を表すコンテンツＰＩＤから構成される更新用付加データ情報とで構成される。
【００３０】
受信機４００は、図８に示すように、送信機３００から送信された番組ストリームを受信する受信手段４０１、リモコンなどの入力装置から、ユーザの録画指示に従って番組コンテンツの録画、及びＣＭ情報の更新を行う番組録画手段４０２、送信機３００から送信されるＣＭ情報の取得、解析を行い、最新の付加データの場所情報を提供する付加データ情報解析手段４０３、番組中に含まれるＣＭ情報を取得する番組中付加データ情報取得手段４０４、番組中に含まれるＣＭ情報を受信機内に記録するかどうかを判定する番組中付加データ情報記録判定手段４０５、番組中付加データ情報記録判定手段４０５からの指示により受信機内にＣＭ情報を記録、及び受信機内のＣＭ情報を提供する付加データ情報取得／設定手段４０６、番組コンテンツ、及びＣＭ情報の録画／記録先である番組／付加データコンテンツ部４０７、付加データ情報部４０８、録画した番組の再生中に、送信機から送信されている番組ＣＭ情報の取得を行う放送中付加データ取得手段４０９、前記放送中付加データ取得手段４０９と前記付加データ情報取得／設定手段４０６から取得したＣＭ情報のバージョンを比較し、録画した番組に含まれるＣＭと、現在放送波に流れているＣＭのどちらが新しいかを判定する付加データバージョン判定手段４１０と、前記付加データ情報解析手段４０３から取得したＣＭの開始時間、再生場所に従って、番組、ＣＭの再生を行うＴＳ／ＨＤＤ切替再生手段４１１、から構成される。
付加データ情報部４０８、及び番組／付加データコンテンツ部４０７の内容は、実施の形態１で示す付加データ情報部２０４、番組／付加データコンテンツ部２０３と同様である。
【００３１】
次に図８に示す受信機４００の制御の流れを、図２、図５、図９〜図１５で示す図、及びフローチャートを用いて説明する。
図２は、録画対象となる番組ストリームの内容を例示したものである。番組中付加データ情報は、録画対象の番組が番組Ａという番組ＩＤを保持し、７時２５分１５秒からＤｕｒａｔｉｏｎ：１５秒、スポンサーＩＤ：広告主１、商品ＩＤ：商品１、Ｖｅｒｓｉｏｎ：１の属性を持つＣＭと、７時２５分３０秒からＤｕｒａｔｉｏｎ：３０秒、スポンサーＩＤ：広告主１、商品ＩＤ：商品２、Ｖｅｒｓｉｏｎ：１の属性を持つＣＭと、７時４５分１５秒からＤｕｒａｔｉｏｎ：１５秒、スポンサーＩＤ：広告主２、商品ＩＤ：商品１、Ｖｅｒｓｉｏｎ：１の属性を持つＣＭを有することを示している。更新用付加データ情報についてはここでは記録対象にならないため、内容の説明は省略する。
【００３２】
図９によって、番組の録画時の処理について説明する。
番組録画手段４０２は、ユーザからの録画指示があると、受信手段４０１から取得した番組コンテンツの録画を行う（９０１）。
番組録画を完了すると（９０２）、付加データ情報解析手段４０３を通じて、番組中付加データ情報記録判定手段４０５に録画した番組に含まれるＣＭ情報の更新処理を依頼する（９０３）。
番組中付加データ情報記録判定手段４０５は、番組中付加データ情報取得手段４０４から録画中の番組に含まれるＣＭ情報を取得し、付加データ情報取得／設定手段４０６を通じて受信機内のＣＭ情報を取得し（９０４）、ＣＭの種類、バージョンの比較を行う（９０５）。
録画中の番組に含まれるＣＭが受信機内に記録されていない場合、及びバージョンが新しい場合、番組中付加データ情報記録判定手段４０５が、付加データ情報取得／設定手段４０６を通じて、付加データ情報部４０８に含まれるＣＭ情報リストを更新する（９０６）。ここではまだ何も録画されていない状態であるため、全てのＣＭ情報が追加される。
最後に付加データ情報部４０８に含まれる番組＆ＣＭ対応表を更新する（９０７）。
このようにして、番組コンテンツ、及びＣＭ情報を記録した後の受信機の状態が図１０である。
【００３３】
この状態で、さらに別の番組を録画した場合の処理を図５と、図９のフローチャートを用いて説明する。
図５は、新たに録画対象となった番組ストリームの内容を例示したものである。番組Ｂという番組ＩＤを保持し、１０時２５分１５秒からＤｕｒａｔｉｏｎ：１５秒、スポンサーＩＤ：広告主１、商品ＩＤ：商品１、Ｖｅｒｓｉｏｎ：１の属性を持つＣＭと、１０時２５分３０秒からＤｕｒａｔｉｏｎ：３０秒、スポンサーＩＤ：広告主１、商品ＩＤ：商品２、Ｖｅｒｓｉｏｎ：２の属性を持つＣＭと、１０時４５分１５秒からＤｕｒａｔｉｏｎ：１５秒、スポンサーＩＤ：広告主２、商品ＩＤ：商品１、Ｖｅｒｓｉｏｎ：１の属性を持つＣＭを有することを示し、広告主１の商品２のＣＭが番組Ａの録画時より更新されていることを示している。
【００３４】
図９によって、番組の録画時の処理について説明する。
ステップ９０５のＣＭの種類、バージョン比較までは、番組Ａの録画時と同様であるため、省略する。ＣＭの種類を比較すると、スポンサーＩＤ：広告主１、商品ＩＤ：商品２は番組Ａの録画時に付加データ情報部に記録されており、かつバージョンを比べると、番組Ｂに含まれているＣＭのバージョンの方が新しいため、付加データ情報部４０８に含まれるＣＭ情報リストのｉｎｄｅｘ：２のデータをＶｅｒｓｉｏｎ：２、保存場所：番組Ｂ−２５分３０秒に更新する（９０６）。
最後に付加データ情報部４０８に含まれる番組＆ＣＭ情報対応リストに番組Ｂに関するＣＭの開始時間、Ｄｕｒａｔｉｏｎ、ｉｎｄｅｘを追加する（９０７）。
このようにして、番組コンテンツ、及びＣＭ情報を更新した後の受信機４００の状態が図１１である。
再生時の処理については実施の形態１と同様であるため、ここでは説明を省略する。
【００３５】
このように、番組の録画時に、現在録画中の番組に含まれるＣＭとこれまで録画した番組に含まれるＣＭのバージョンを比較し、受信機内で常に最新のＣＭを再生するようにすることで、最新のＣＭを新たに記録媒体に保存する必要がなくなり、ＨＤＤ容量を必要最小限に留めることができる。
【００３６】
（実施の形態３）
本発明の実施の形態３について、図１２〜図１３を用いて説明する。実施の形態２では、録画した番組の再生時に、受信機内の他の録画済み番組に含まれるＣＭを再生することで、ＣＭの差し替えを行った。この場合最新のＣＭが含まれる番組を削除した場合に、ＣＭごと削除されてしまい、最新のＣＭを再生することができない。実施の形態３では、このような問題を解決するため、録画時に番組とＣＭを別々に保存して、録画した番組を削除してもＣＭを削除しないようにするために必要な構成や処理を追加したものである。
【００３７】
本発明の実施の形態３に係る送信機３００は、図１２に示すように、各放送局から放送されるデジタルテレビの放送波で、番組／ＣＭコンテンツ、及びＣＭ情報から構成される番組ストリームの送信手段３０１から構成される。番組ストリームの内容は実施の形態２で示した番組ストリームと同様である。
【００３８】
受信機４００は、図１２に示すように、番組の録画時に、番組中付加データ情報取得手段４０４から、録画中の番組に含まれるＣＭの情報を取得し、ＣＭの開始時間を番組録画手段４０２に通知し、ＣＭの録画を番組中付加データ記録判定手段５０２に依頼する録画番組モニタリング手段５０１と、録画番組モニタリング手段５０１からの依頼によって録画中の番組に含まれるＣＭが最新かどうかを判定する番組中付加データ記録判定手段５０２と、番組中付加データ記録判定手段５０２によって、最新のＣＭの録画を行う付加データ記録手段５０４と、古いＣＭの削除を行う付加データ削除手段５０３と、録画番組モニタリング手段５０１の指示によって、番組の録画を行う番組録画手段４０２と、から構成される。
【００３９】
次に図１２に示す受信機の制御の流れを、図２、図５、及び図１３で示す図、及びフローチャートを用いて説明する。
図２は、録画対象となる番組ストリームの内容を例示したものである。内容についての説明は実施の形態２と同様であるため省略する。
【００４０】
番組録画手段４０２は、ユーザからの録画指示があると、録画番組モニタリング手段５０１に対して、ＣＭの録画と、番組とＣＭの切り替わりの通知を依頼し、録画番組モニタリング手段５０１は、番組中付加データ情報取得手段４０４から、録画中の番組に含まれるＣＭの開始時間を取得する（１３０１）。
録画番組モニタリング手段５０１はＣＭの開始時間に到達するまで、番組録画手段４０２に依頼して番組コンテンツの録画を行う（１３０２）
ＣＭの開始時間に到達すると（１３０３）、録画番組モニタリング手段５０１は、付加データ情報解析手段４０３に、ＣＭ情報の更新を依頼する（１３０４）。この処理は実施の形態２における録画処理と同様である。
【００４１】
次に録画番組モニタリング手段５０１は、番組中付加データ記録判定手段５０２に対して、ＣＭの録画を依頼する（１３０５）。
番組中付加データ記録判定手段５０２は、番組中付加データ情報取得手段４０４から、現在録画中のＣＭのスポンサーＩＤ、商品ＩＤ、Ｖｅｒｓｉｏｎを取得し、付加データ情報取得／設定手段４０６から、受信機４００の付加データ情報部４０８に含まれる録画した番組に含まれるＣＭ情報を取得する（１３０６）。
それぞれのスポンサーＩＤ、商品ＩＤ、Ｖｅｒｓｉｏｎを比較して、同じ種類、Ｖｅｒｓｉｏｎを持つＣＭが既に録画されていないかをチェックする（１３０７）。
同じ種類、ＶｅｒｓｉｏｎのＣＭが録画されていない場合、番組中付加データ記録判定手段５０２は、付加データ記録手段５０４に依頼して、ＣＭの録画を行う（１３０８）。
【００４２】
ＣＭの録画完了後、古いＶｅｒｓｉｏｎのＣＭが録画されていた場合（１３０９）、番組中付加データ記録判定手段５０２は付加データ削除手段５０３に依頼して、Ｖｅｒｓｉｏｎの古いＣＭを削除する（１３１０）。
ここでは全てのＣＭがまだ録画されてない状態であるとして、全てのＣＭをＣＭ１，ＣＭ２，ＣＭ３という別々の領域に録画する。
最後に番組中付加データ記録判定手段５０２は、付加データ情報取得／設定手段４０６に依頼して、付加データ情報部４０８に含まれるＣＭ情報リストの保存場所を更新する（１３１１）。
上記の処理を番組の録画が完了するまで繰り返す（１３１２）
【００４３】
このようにして、番組コンテンツ、及びＣＭ情報を記録した後の受信機の状態が図１４である。実施の形態２と異なるのは、付加データ情報部４０８に含まれるＣＭ情報リストの保存場所と、番組／付加データコンテンツ部４０７であり、ＣＭ情報リストの保存場所がＣＭ１，ＣＭ２，ＣＭ３と録画した番組とは別の領域を示しており、実際の番組、及びＣＭコンテンツも、別データとして録画されている。
【００４４】
この状態で、さらに別の番組を録画した場合の処理を図５、図１３、図１５で示す図、及びフローチャートを用いて説明する。
図５は、録画対象となる番組ストリームの内容を例示したものである。内容についての説明は実施の形態２と同様であるため省略する。
【００４５】
図１３によって、番組の録画時の処理について説明する。
ステップ１３０７のＣＭの種類、バージョン比較までは、番組Ａの録画時と同様であるため、省略する。ＣＭの種類を比較すると、スポンサーＩＤ：広告主１、商品ＩＤ：商品２は番組Ａの録画時に付加データ情報部４０８に記録されており、かつバージョンを比べると、番組Ｂに含まれているＣＭのバージョンの方が新しいため、番組Ｂに含まれるスポンサーＩＤ：広告主１、商品ＩＤ：商品２、Ｖｅｒｓｉｏｎ：２のＣＭをＣＭ４として録画し（１３０８）、番組Ａに含まれていたスポンサーＩＤ：広告主１、商品ＩＤ：商品２、Ｖｅｒｓｉｏｎ：１のＣＭ２を削除する（１３１０）。
最後に付加データ情報部４０８に含まれるＣＭ情報リストのｉｎｄｅｘ：２の保存場所をＣＭ２からＣＭ４に変更する（１３１１）。
このようにして、番組コンテンツ、及びＣＭ情報を更新した後の受信機の状態が図１５である。
再生時の処理については実施の形態１と同様であるため、ここでは説明を省略する。
【００４６】
このように、番組の録画時に、番組とＣＭを別々に録画することで、受信機内で最新のＣＭを持つ番組を削除した場合においても、ＣＭを録画したままにしておくことが可能となる。
【００４７】
（実施の形態４）
本発明の実施の形態４について、図６、図１２、図１６、図１７を用いて説明する。
実施の形態４では、録画した番組の再生時に臨時ニュースなど、緊急性の高い内容が放送された場合に、臨時ニュースへの切り替えを行うために必要な構成、処理を追加したものである。
【００４８】
本発明の実施の形態４に係る送信機３００は、図１２に示すように、各放送局から放送されるデジタルテレビの放送波で、番組／ＣＭコンテンツ、及びＣＭ情報から構成される番組ストリームの送信手段から構成される。
番組ストリームの構成は、図１６に示すように、更新用付加データ情報のみが実施の形態１，２，３と異なっており、実施の形態１，２，３で既に説明したスポンサーＩＤ，商品ＩＤ、Ｄｕｒａｔｉｏｎ、バージョン、コンテンツＰＩＤに加えて、緊急性の高いデータが付加データに含まれているかどうかを示すＥｍｅｒｇｅｎｃｙ  Ｆｌａｇを持つ。
実施の形態４における更新用付加データ情報は、スポンサーＩＤ：ＮＯＮ、商品ＩＤ：ＮＯＮ、Ｄｕｒａｔｉｏｎ：１８０秒、Ｖｅｒｓｉｏｎ：１、Ｅｍｅｒｇｅｎｃｙ  Ｆｌａｇ：ｔｒｕｅ、コンテンツＰＩＤ：０ｘ１０００の属性を持つ臨時ニュースと、スポンサーＩＤ：広告主１、商品ＩＤ：商品２、Ｄｕｒａｔｉｏｎ：３０秒、Ｖｅｒｓｉｏｎ：１、Ｅｍｅｒｇｅｎｃｙ  Ｆｌａｇ：ファｌセ、コンテンツＰＩＤ：０ｘ２０００の属性を持つＣＭと、スポンサーＩＤ：広告主２、商品ＩＤ：商品１、Ｄｕｒａｔｉｏｎ：１５秒、Ｖｅｒｓｉｏｎ：１、Ｅｍｅｒｇｅｎｃｙ  Ｆｌａｇ：ｆａｌｓｅ、コンテンツＰＩＤ：０ｘ３０００の属性を持つＣＭを有することを示している。
【００４９】
本発明の実施の形態４に係る受信機４００は、図１２に示すように、実施の形態３における受信機４００と同じ構成である。
実施の形態４における録画処理は実施の形態３における録画処理と同様、録画中にリアルタイムに受信機４００の付加データ情報部のＣＭ情報を更新する。
【００５０】
図１７は実施の形態４における臨時ニュースの再生を行うまでのフローチャートであり、実施の形態１における録画した番組の再生時のフローチャートである図６のステップ６０１のサブフローチャートを示している。
ＴＳ／ＨＤＤ切替再生手段４１１からのＣＭ情報問い合わせに対して、付加データバージョン判定手段４１０は付加データ情報取得／設定手段４０６から再生対象の番組に含まれるＣＭ情報を取得する（１７０１）。
次に付加データバージョン判定手段４１０は、放送中付加データ取得手段４０９から、現在放送波に含まれている更新用付加データ情報を取得する（１７０２）。
更新用付加データ情報にＥｍｅｒｇｅｎｃｙ  Ｆｌａｇ：ｔｒｕｅのデータがあるかどうかを判定し（１７０３）、含まれている場合、再生場所をＴＳのコンテンツＰＩＤに設定し（１７０５）、含まれていない場合は、更新用付加データに含まれるＣＭのバージョンチェックを行う（１７０４）。
更新用付加データに含まれるＣＭのバージョンが、再生対象の番組に含まれるＣＭより新しい場合（１７０４）、再生場所をＴＳのコンテンツＰＩＤに設定し（１７０５）、そうでない場合は、再生場所をＨＤＤの保存場所に設定する（１７０６）。
上記の処理によって、番組内での再生開始位置と再生場所をＴＳ／ＨＤＤ切替再生手段４１１に提供する。
臨時ニュースの再生終了後は、再び実施の形態１における番組、ＣＭ再生処理に戻る。
【００５１】
このように、録画時にはリアルタイムに付加データ情報の更新を行い、録画した番組の再生時には、付加データに臨時ニュースが含まれているかをチェックすることで、録画中、および録画完了した番組の再生中に臨時ニュースが放送された場合にも、臨時ニュースの再生を行うことが可能となる。
【００５２】
なお、付加データが、番組コンテンツ外から送信される番組外付加データである場合には、番組外付加データ情報取得手段と番組外付加データ記録判定手段とを備えることにより、受信機内に蓄積されている最新の番組外付加データを再生することができる。
【産業上の利用可能性】
【００５３】
本発明にかかるテレビ番組録画再生装置及びテレビ番組送信装置は、録画した番組に含まれる付加データの再生時に、放送波、及びテレビ番組録画再生装置内の最新の付加データを再生する機能を有するため、スポンサーの提供するＣＭの差し替えに適用できる。
【図面の簡単な説明】
【００５４】
【図１】本発明の実施の形態１における構成図
【図２】本発明の実施の形態１、２、３における番組ストリームの構成図
【図３】本発明の実施の形態１における録画処理のフローチャート
【図４】本発明の実施の形態１における番組Ａ録画後の受信機内の状態を示す図
【図５】本発明の実施の形態１、２、３における番組ストリームの構成図
【図６】本発明の実施の形態１における再生処理のフローチャート
【図７】本発明の実施の形態１における再生時のＣＭ解析処理のフローチャート
【図８】本発明の実施の形態２における構成図
【図９】本発明の実施の形態２における録画処理のフローチャート
【図１０】本発明の実施の形態２における番組Ａ録画後の受信機内の状態を示す図
【図１１】本発明の実施の形態２における番組Ｂ録画後の受信機内の状態を示す図
【図１２】本発明の実施の形態３における構成図
【図１３】本発明の実施の形態３における録画処理のフローチャート
【図１４】本発明の実施の形態３における番組Ａ録画後の受信機内の状態を示す図
【図１５】本発明の実施の形態３における番組Ａ録画後の受信機内の状態を示す図
【図１６】本発明の実施の形態４における番組ストリームの構成図
【図１７】本発明の実施の形態４における再生処理のフローチャート
【符号の説明】
【００５５】
１００  送信機
１０１  送信手段
２００  受信機
２０１  受信手段
２０２  番組録画手段
２０３  番組／付加データコンテンツ部
２０４  付加データ情報部
２０５  付加データ情報解析手段
２０６  放送中付加データ取得手段
２０７  再生コンテンツ付加データ情報取得手段
２０８  付加データバージョン判定手段
２０９  ＴＳ／ＨＤＤ切替再生手段
３００  送信機
３０１  送信手段
４００  受信機
４０１  受信手段
４０２  番組録画手段
４０３  付加データ情報解析手段
４０４  番組中付加データ情報取得手段
４０５  番組中付加データ情報記録判定手段
４０６  付加データ情報取得／設定手段
４０７  番組／付加データコンテンツ部
４０８  付加データ情報部
４０９  放送中付加データ取得手段
４１０  付加データバージョン判定手段
４１１  ＴＳ／ＨＤＤ切替再生手段
５０１  録画番組モニタリング手段
５０２  番組中付加データ記録判定手段
５０３  付加データ削除手段
５０４  付加データ記録手段
【図１】
2009182369.tif 000003
【図２】
2009182369.tif 000004
【図３】
2009182369.tif 000005
【図４】
2009182369.tif 000006
【図５】
2009182369.tif 000007
【図６】
2009182369.tif 000008
【図７】
2009182369.tif 000009
【図８】
2009182369.tif 000010
【図９】
2009182369.tif 000011
【図１０】
2009182369.tif 000012
【図１１】
2009182369.tif 000013
【図１２】
2009182369.tif 000014
【図１３】
2009182369.tif 000015
【図１４】
2009182369.tif 000016
【図１５】
2009182369.tif 000017
【図１６】
2009182369.tif 000018
【図１７】
2009182369.tif 000019